(57)【要約】【課題】  写真処理廃液の化学物質の分解処理により生成した高含水量の固形沈殿物の脱水及び乾燥固化の生産性効率向上、固形含有廃棄物の減量化による輸送費用の軽減及び最終処理運転費用の低減できる写真廃液の処理方法及び処理装置を提供する。【解決手段】  固形分解物Ｐを捕集する多孔性フィルター手段１６を分離容器１５に収容保持させ、分離容器１５を回転させることで固形分解物Ｐを遠心濾過機１４によって遠心分離し、遠心分離後に多孔性フィルター手段１６に捕集された固形分解物Ｐを乾燥させるため温風を供給する。【選択図】  図１
2005261994.tif 000002
【特許請求の範囲】
【請求項１】
写真廃液を循環経路に沿って循環させるとともに、該写真廃液中に含まれる固形分解物を捕集することによって前記写真廃液を清澄化処理して排水する写真廃液の処理装置であって、
前記固形分解物を捕集する多孔性フィルター手段と、前記多孔性フィルター手段を分離容器に収容保持させ、前記分離容器を回転させることで前記固形分解物を遠心分離する遠心濾過機とを備え、遠心分離後に前記多孔性フィルター手段に捕集された前記固形分解物を乾燥させるため該固形分解物に温風を供給する乾燥手段が設けられていることを特徴とする写真廃液の処理装置。
【請求項２】
前記循環経路において前記遠心濾過機の上流側に、前記写真廃液を遠心分離して前記固形分解物を沈殿物として分離し、前記沈殿物を前記遠心濾過機へ供給可能な液体サイクロンが配置されていることを特徴とする請求項１に記載の写真廃液の処理装置。
【請求項３】
前記写真廃液を貯留させ、遠心分離後に貯留した前記写真廃液に凝集剤を添加可能なストック槽が前記循環経路に設けられていることを特徴とする請求項１又は２に記載の写真廃液の処理装置。
【請求項４】
写真廃液を循環経路に沿って循環させるとともに、該写真廃液中に含まれる固形分解物を捕集することによって前記写真廃液を清澄化処理して排水する写真廃液の処理方法であって、
前記固形分解物を捕集する多孔性フィルター手段を分離容器に収容保持させ、前記分離容器を回転させることで前記固形分解物を遠心濾過機によって遠心分離し、遠心分離後に前記多孔性フィルター手段に捕集された前記固形分解物を乾燥させるため温風を供給することを特徴とする写真廃液の処理方法。
【請求項５】
前記循環経路において前記遠心濾過機の上流側に配置された液体サイクロンによって、前記写真廃液を遠心分離して前記固形分解物を沈殿物として分離し、前記沈殿物を前記遠心濾過機へ供給することを特徴とする請求項４に記載の写真廃液の処理方法。
【請求項６】
遠心分離後に前記写真廃液中に凝集剤を添加して循環させ、前記固形分解物を凝集させることを特徴とする請求項４又は５に記載の写真廃液の処理方法。
【請求項７】
写真廃液を循環経路に沿って循環させるとともに、該写真廃液中に含まれる固形分解物を捕集することによって前記写真廃液を清澄化処理して排水する写真廃液の処理方法であって、
前記固形分解物を遠心分離手段によって遠心分離し、その後、凝集剤を前記写真廃液に混入して循環させることで捕集される固形分解物を凝集させることを特徴とする写真廃液の処理方法。
【発明の詳細な説明】
【技術分野】
【０００１】
本発明は、写真廃液中に含まれる化学物質の分解生成で発生する固形分解物を捕集し、含水率の低い固形分物質を得る写真廃液の処理方法及び処理装置に関するものである。
【背景技術】
【０００２】
従来、写真廃液には分解処理時に生成される化学物質の固形分解物が含まれており、写真廃液から固形分解物を除去する分離処理が行われている。固形分解物を分離処理する装置としては、例えば、下記特許文献１に示されるように、多孔性フィルター濾過により分離回収されていた。
【０００３】
また、固液分離の方法として、例えば、下記特許文献２，３，４及び５に示されるように、液体サイクロン、遠心分離機、及び、遠心濾過機による分離が行われている。
【０００４】
【特許文献１】特許第３３８４１６６号公報
【特許文献２】特許第２８２５６９５号公報
【特許文献３】特許第３０４６５５４号公報
【特許文献４】特開平８−１９２２００号公報
【特許文献５】特開平５−６８９８０号公報
【発明の開示】
【発明が解決しようとする課題】
【０００５】
しかし、多孔性フィルターの濾過による分離処理においては、多孔性フィルター面への固形分の粘着付着やフィルター穴の目詰まりで多孔性フィルターの交換頻度が高かった。  また、写真廃液の分解処理時に生成される化学物質の固形分含水率は、約９０％強であり多孔性フィルターからの回収除去処理が困難であった。
【０００６】
さらに、回収処理のため除去したスラリー状の固形物のハンドリング及び使用機器類の洗浄に多大な労力を要し、かつ、多量の洗浄水を使用しての洗浄を行わなければならなかった。
【０００７】
液体サイクロンにより分離された該固体スラリー物の含水率は９８％以上であり、回収のための移し替え等のハンドリングは容易であるが、含水率の低下を図るためには、遠心濾過等による脱水を行うことが必要であった。
【０００８】
上記特許文献４には、遠心分離機を使用して脱水された下水汚泥ケーキを乾燥機で乾燥させる方法が開示されている。しかし、脱水された下水汚泥ケーキの含水率は、８０数％前後であり、別途設置された乾燥機に移送ハンドリングすることは容易でなく、遠心分離機内や移送配管内への付着残差物の発生及びその付着残差物の処置回収も必要であるが、具体的な方法及び装置については記載されていない。
【０００９】
上記特許文献５の感光材料処理廃液の処理においては、遠心濾過機を用いて固形分を分離しているが、濾布からの固形分の回収処置及び乾燥方法については記載されていない。
【００１０】
本発明は、上記事情に鑑みてなされたもので、その目的は、写真処理廃液の化学物質の分解処理により生成した高含水量の固形沈殿物の脱水及び乾燥固化の生産性効率向上、固形含有廃棄物の減量化による輸送費用の軽減及び最終処理運転費用の低減を図る写真廃液の処理方法及び写真処理廃液の処理装置を提供することにある。
【課題を解決するための手段】
【００１１】
本発明の上記目的は、写真廃液を循環経路に沿って循環させるとともに、該写真廃液中に含まれる固形分解物を捕集することによって写真廃液を清澄化処理して排水する写真廃液の処理装置であって、固形分解物を捕集する多孔性フィルター手段と、多孔性フィルター手段を分離容器に収容保持させ、分離容器を回転させることで固形分解物を遠心分離する遠心濾過機とを備え、遠心分離後に多孔性フィルター手段に捕集された固形分解物を乾燥させるため該固形分解物に温風を吹き付ける乾燥手段が設けられていることを特徴とする写真廃液の処理装置によって達成される。
【００１２】
本発明に係る写真廃液の処理装置は、遠心濾過機によって写真廃液中に含まれる固形分解物を捕集することができるとともに、遠心分離後に捕集された固形分解物を乾燥させる乾燥手段を備えている。遠心分離後において、捕集された固形分解物には水分が含まれているが、乾燥手段から固形分解物に温風を吹き付けることで該固形分解物に含有される水分を蒸発させて減少させることができる。そこで、捕集された固形分解物の含水率が極めて小さくなるため、該固形分解物を多孔性フィルター手段から、回収除去する作業や回収した固形分解物のハンドリングが容易になる。また、多孔性フィルター手段に固形分解物が付着して取れにくくなることを防止でき、固形分解物が回収除去された多孔性フィルター手段を繰り返し使用することができるようになる。さらに、固形分解物の含水率を小さくすることで、従来の捕集した固形分解物に比較して容積を小さくすることができる。
【００１３】
上記写真廃液の処理装置は、循環経路において遠心濾過機の上流側に、写真廃液を遠心分離して固形分解物を沈殿物として分離し、沈殿物を遠心濾過機へ供給可能な液体サイクロンが配置されていることが好ましい。
【００１４】
この写真廃液の処理装置は、液体サイクロンで分離された固形分解物が遠心濾過機に供給されてから遠心濾過機を駆動させて遠心分離をする構成である。液体サイクロンは遠心濾過機に比べてランニングコストが低い。このため、上記処理装置は、遠心濾過機のみを常に駆動させて遠心分離をする構成に比べてランニングコストを低減させることができる。
【００１５】
上記写真廃液の処理装置は、写真廃液を貯留させ、遠心分離後に貯留した写真廃液に凝集剤を添加可能なストック槽が循環経路に設けられていることが好ましい。
【００１６】
この処理装置は、循環経路にストック槽が設けられ、このストック槽に凝集剤を添加することで、写真廃液とともに凝集剤が循環経路を循環する構成である。そして、該凝集剤が多孔性フィルター手段において既に捕集された固形分解物とともに捕集される。すると、多孔性フィルター手段から固形分解物を回収除去する作業がより一層容易になる。
【００１７】
また、本発明の上記目的は、写真廃液を循環経路に沿って循環させるとともに、該写真廃液中に含まれる固形分解物を捕集することによって写真廃液を清澄化処理して排水する写真廃液の処理方法であって、固形分解物を捕集する多孔性フィルター手段を分離容器に収容保持させ、分離容器を回転させることで固形分解物を遠心濾過機によって遠心分離し、遠心分離後に多孔性フィルター手段に捕集された固形分解物を乾燥させるため温風を供給することを特徴とする写真廃液の処理方法によって達成される。
【００１８】
上記の写真廃液の処理方法は、遠心分離後において、捕集された固形分解物に含まれる水分を、乾燥手段から固形分解物に温風を吹き付けることで蒸発させ、この結果、捕集された固形分解物の含水率を極めて小さくできる。このため、固形分解物を多孔性フィルター手段から、回収除去する作業や回収した固形分解物のハンドリングが容易になる。また、多孔性フィルター手段に固形分解物が付着して取れにくくなることを防止でき、固形分解物が回収除去された多孔性フィルター手段を繰り返し使用することができるようになる。さらに、固形分解物の含水率を小さくすることで、従来の捕集した固形分解物に比較して容積を小さくすることができる。
【００１９】
上記の写真廃液の処理方法は、循環経路において遠心濾過機の上流側に配置された液体サイクロンによって、写真廃液を遠心分離して固形分解物を沈殿物として分離し、沈殿物を遠心濾過機へ供給することが好ましい。
【００２０】
こうすれば、遠心濾過機よりランニングコストの低い液体サイクロンによって遠心分離を行った後に、遠心濾過機を駆動して液体サイクロンから供給された固形分解物を遠心分離すればよい。このため、上記写真廃液の処理方法は、遠心濾過機のみを常に駆動させて遠心分離をする処理方法に比べてランニングコストを低減させることができる。
【００２１】
上記の写真廃液の処理方法は、遠心分離後に写真廃液中に凝集剤を添加して循環させ、固形分解物を凝集させることが好ましい。
【００２２】
こうすれば、固形分解物が多孔性フィルター手段から固形分解物を回収除去する作業がより一層容易になる。
【００２３】
さらに、本発明の上記目的は、写真廃液を循環経路に沿って循環させるとともに、該写真廃液中に含まれる固形分解物を捕集することによって前記写真廃液を清澄化処理して排水する写真廃液の処理方法であって、固形分解物を遠心分離手段によって遠心分離し、その後、凝集剤を写真廃液に混入して循環させることで捕集される固形分解物を凝集させることを特徴とする写真廃液の処理方法によって達成される。
【００２４】
上記の写真廃液の処理方法は、最初に、遠心濾過機や液体サイクロン等の遠心分離手段によって固形分解物を捕集する工程が行われ、その後、写真廃液に凝集剤を添加させたうえで該写真廃液を循環させる工程が行われる。すると、固形分解物とともに凝集剤も捕集されるようになり、この結果、捕集された固形分解物に凝集剤が混入されることで、該固形分解物の回収除去が容易になる。
【発明の効果】
【００２５】
本発明によれば、写真処理廃液の化学物質の分解処理により生成した高含水量の固形沈殿物の脱水及び乾燥固化の生産性効率向上、固形含有廃棄物の減量化による輸送費用の軽減及び最終処理運転費用の低減できる写真廃液の処理方法及び写真処理廃液の処理装置を提供できる。
【発明を実施するための最良の形態】
【００２６】
以下、本発明に係る写真廃液の処理装置及び処理方法の実施形態を図面に基づいて詳しく説明する。
図１は、本発明に係る写真廃液の処理装置の第１の実施形態を示している。写真廃液の処理装置１０は、写真廃液Ｗを循環経路に沿って循環させるとともに、写真廃液Ｗ内に発生する固形分解物を捕集することによって写真廃液Ｗを清澄化処理して排水する構成である。本発明に係る写真廃液の処理処理方法は、上記の写真廃液の処理装置１０を用いることで好適に実施することができる。
【００２７】
写真廃液には、カラー感光材料と白黒感光材料の処理に用いられる写真処理液の廃液の他、定着廃液または写真製版等写真工業で発生した多くの種類の廃液が含まれている。
【００２８】
写真廃液には写真処理液の処方に含まれて消費されなかった構成薬品、すなわち現像液由来の現像主薬、アルカリ化合物、緩衝剤、亜硫酸塩やヒドロキシルアミン誘導体などの補恒剤、アルカリハライドなど、定着系処理液由来のチオ硫酸や亜硫酸のアンモニウム塩、ナトリウム塩、カリウム塩、アルカリハライドなど、漂白系処理液由来のポリアミノポリカルボン酸鉄(III)錯塩などの漂白剤、再ハロゲン化剤、緩衝塩など、その他各工程槽から排出される硬水軟化剤、界面活性剤などの機能性化合物など、が含まれているほかに、処理中に感光材料から溶出した例えばゼラチンや感光色素などの溶出成分及び処理中に生じた反応生成物が混在しており、多岐に亘る化学成分を含んでいる。
【００２９】
写真廃液を水質環境要因からみれば、高濃度のＢＯＤ 、ＣＯＤ 、窒素、リンを含み、且つ、生物処理または化学処理によっても難分解性成分が多量に含まれている。処理の種類及びその処理の各工程からの廃液の混合比率によりかなり変動はするが、おおよそＣＯＤ 30,000〜50,000 mg/l、ＢＯＤ 5,000 〜15,000 mg/l、ＴＯＣ(Total Organic Carbon) 10,000〜25,000 mg/l、ケルダール窒素 10,000 〜15,000 mg/l、トータル燐 100〜500mg/l の範囲である。ＣＯＤ:ＢＯＤ:ＴＯＣ の比率は概ね 4:1:1.5でＣＯＤ が高い特徴があり、またC:N:P の元素比率はほぼ 100:100:1でN の含有率が高い特徴がある。
【００３０】
図１に示すように、本実施形態の写真廃液の処理装置１０は、循環経路の循環方向に沿って順に、写真廃液Ｗを貯留させたストック槽１１と、このストック槽１１の下流側に設けられたバルブＶ１１と、写真廃液Ｗを循環経路の下流側へ所定の圧力で送流する送液ポンプ１２と、写真廃液Ｗに含まれる化学物質を電解酸化法や超音波キャビテーション分解法によって分解する分解装置１３と、この分解装置１３によって写真廃液Ｗ中に発生した固形分解物を遠心分離する遠心濾過機１４とを備えている。
【００３１】
遠心濾過機１４は、その内部に、略籠状の分離容器１５を備えている。分離容器１５の周壁面は略網状に形成され、底面に駆動軸１７が結合されている。駆動軸１７はモータＭに連結されている。分離容器１５は、モータＭを駆動させることで駆動軸１７から駆動力が伝達され、回転する構成である。
【００３２】
遠心濾過機１４の外方容器と駆動軸１７との間には液漏れ防止シール部材Ｓが設けられている。
【００３３】
分離容器１５は、内部に袋状に形成された多孔性フィルター１６が取り付けられている。多孔性フィルター１６は、循環経路を循環する写真廃液Ｗを濾過することで、該写真廃液Ｗ中に含まれる固形分解物Ｐを捕集する多孔性フィルター手段として機能する。
【００３４】
多孔性フィルター１６としては、ＵＦ膜、ＲＯ膜、多孔性ポリマーの単膜フィルター、セラミック単膜フィルター、パルプ繊維フィルターが使用できる。０．０５μｍから５０μｍ、好ましくは０．１μｍから３０μｍ、より好ましくは０．２μｍから１０μｍのポアサイズを有するものであればいずれでもよい。具体的には、塩化ビニル、ポリエチレン、ポリプロピレン、ポリブチレン、ポリスルホン、アクリルニトリル等の多孔性ポリマーの単膜フィルター、多孔性ガラス、素焼き板、火成岩板、発泡性窒化物等のセラミック単膜フィルター、濾紙、０．０１デニールの繊維（ナイロン、ポリプロピレン、ポリエチレン）の繊維フィルター、等が上げられる。これらのフィルターの市販品としては、ユアサ（株）製の各種ユミクロン膜、ミリポア社製のミリポアフィルター（例えば、ミリポアＡＡ、ＤＡ、ＨＡ、ＰＨ、ＧＳ、ＦＧ、ＵＣ、ＵＭ、ＵＳ、ＧＵ、ＨＰ等が挙げられる）、（株）クラレ製精密濾過フィルター（ＳＦ−３０１、ＳＦ−１０１、ＳＦ−４０１）、ゴアテックス社製のゴアテックス膜等が挙げられる。
【００３５】
遠心濾過機１４は、分離容器１５を回転させることで、該分離容器に収容保持された多孔性フィルター１６の固形分解物から水分を分離し、該分離容器の外側へ排出する。排出された水分は、遠心濾過機の底部に設けられた濾液管１４ａによって循環経路の下流へ供給される。
【００３６】
遠心濾過機１４の下流には、濾液管１４ａから排出された写真廃液Ｗを貯留させる濾液ストックタンク１８が設けられている。
【００３７】
また、本実施系形態の処理装置１０は、上記濾液ストックタンク１８に貯留した写真廃液Ｗの水面位置に応じて該写真廃液Ｗの貯留量を検知するレベル検知機１９が設けられている。
【００３８】
濾液ストックタンク１８の下流には、ストック槽１１へ写真廃液Ｗを送流する送液ポンプ２２が設けられている。
【００３９】
また送液ポンプＶ２２の下流には、該送液ポンプＶ２２側から流れ込む写真廃液Ｗの流れを２方向へ切り換え可能な三方バルブＶ１３が設けられている。遠心分離時に、三方バルブＶ１３が送液ポンプ２２から送流された写真廃液Ｗをストック槽１１へ循環させるように調節されている。遠心分離後に清澄化された写真廃液Ｗを排水する場合には、三方バルブＶ１３が切り換えられ、送液ポンプ２２から送流された写真廃液Ｗが図１に示す方向へ排水される。
【００４０】
ストック槽１１の上部には、写真廃液Ｗの循環経路において発生した気体を排出するための排気管１１ａが設けられている。また、遠心濾過機１４の上部には、同様に気体を排出するため、排気管１４ｂが設けられている。
【００４１】
本実施形態の写真廃液の処理装置１０は、遠心分離後に多孔性フィルター１６に捕集された固形分解物を乾燥させるため乾燥手段として機能する乾燥装置２１を備えている。乾燥装置２１は、遠心濾過機１４の上部に接続された送風管２１ａを備え、遠心分離機１４の内部において多孔性フィルター１６に捕集された固形分解物Ｐに送風管２１ａを介して乾燥した温風を吹き付ける構成である。
【００４２】
また、処理装置１０は、ストック槽１１の底部にマグネットカップリング方式の攪拌部２３が設けられている。攪拌部２３は、ストック槽１１に貯留した写真廃液Ｗ中に後述する凝集剤を添加した際に、写真廃液Ｗを攪拌翼２３ａを回動させることで、添加された凝集剤を写真廃液Ｗ中に混合させる攪拌手段として機能する。
【００４３】
次に、本実施形態の処理装置によって写真廃液から固形分解物を捕集して写真廃液を清澄化処理する工程を説明する。
【００４４】
最初に写真廃液Ｗをストック槽１１に貯留させ、バルブＶ１１及びバルブＶ１２を開け、三方バルブＶ１３を送液ポンプ２２からストック槽１１への写真廃液Ｗの循環を許容するように調節する。また、送液ポンプ１２を駆動し、ストック槽１１に貯留された写真廃液Ｗを循環経路に沿って送流する。
【００４５】
送液ポンプ１２によって写真廃液Ｗが分解装置１３に送流され、分解装置１３において該写真廃液Ｗに含まれる化学物質が電解酸化法や超音波キャビテーション分解法によって分解される。
【００４６】
分解処理後、写真廃液Ｗが送液ポンプ１２によって、駆動した遠心濾過機１４の内部へ送液注入される。遠心濾過機１４へ注入された写真廃液Ｗは、高速回転する分離容器１５に保持された多孔性フィルター１６によって濾過される。そして、分離された濾液が濾液管１４ａを介して濾液ストックタンク１８に貯留される。
【００４７】
濾液ストックタンク１８に貯留する写真廃液Ｗをレベル検知機１９で検知し、貯留量が所定のレベルに達したら、送液ポンプ２２を駆動し、貯留した写真廃液Ｗをストック槽１１へ送る。
【００４８】
本実施形態において、遠心濾過機１４の分離容器１５の遠心加速度は、８００Ｇ〜３０００Ｇとし、設備及びランニングコストの観点から望ましくは、１０００Ｇ〜２０００Ｇとする。多孔性フィルター１６のポアサイズは１μｍ〜５０μｍとし、望ましくは３μｍ〜１０μｍとする。
【００４９】
写真廃液Ｗの分離処理が完了した後、送液ポンプ１２，２２を停止し、ストック槽１１に凝集剤を添加して攪拌手段（攪拌部２３）によって攪拌し、写真廃液Ｗと凝集剤を混合する。このとき、添加する凝集剤の量は、写真廃液Ｗの１リットル当たり０．０１ｇ〜０．５ｇ、望ましくは、０．０５ｇ〜０．１ｇとする。
【００５０】
凝集剤を写真廃液Ｗに混合させた後、送液ポンプ１２，２２を駆動させ、写真廃液Ｗを遠心濾過機１４の内部の高速回転する分離容器１５に保持された多孔性フィルター１６によって濾過する。すると、循環経路における極微細径の粒子が凝集され、これら凝集した粒子が多孔性フィルター１６に捕集されるようになるとともに、多孔性フィルター１６に沈積した固体分解物（固体スラリー物）が剥離しやすくなる。
【００５１】
凝集剤としては、硫酸アルミニウム、硫酸マグネシウム、ポリ塩化アルミニウム、塩化カルシウム、塩化マグネシウム、ポリ塩化アルミニウム等の無機凝集剤、又は、ポリアクリルアミド系高分子、ポリアクリル酸（塩）等の有機凝集剤が望ましい。
【００５２】
凝集剤を添加した後、写真廃液Ｗが循環経路を約２〜３回循環させ、三方バルブＶ１３を排水側へ切り換え、濾液ストックタンク１８に貯留された写真廃液Ｗを排水する。
【００５３】
濾液の排水後、遠心濾過機１４の回転数を５０ｒｐｍ〜３００ｒｐｍの低速とし、乾燥装置２１から送風管２１ａを介して乾燥した温風（５０℃〜１００℃）を遠心濾過機１４に吹き込み、多孔性フィルター１６に捕集された固形分解物Ｐを乾燥させる。乾燥した分解固形物Ｐは、多孔性フィルター１６の面を軽く振動すると、容易に該多孔性フィルター１６から剥離することができるため、多孔性フィルター１６の洗浄が不要となり、該多孔性フィルターを再使用することができるようになる。また、乾燥によって固化した分解固形物は、含有する水分が少ないため再溶解されない固体物質となり、その後の輸送工程等においてハンドリングが容易な物質になる。
【００５４】
図２は、本発明に係る写真廃液の処理装置の第２の実施形態を示している。なお、以下に説明する実施形態において、すでに説明した部材などと同等な構成・作用を有する部材等については、図中に同一符号又は相当符号を付すことにより、説明を簡略化或いは省略する。
【００５５】
図２に示すように、本実施形態の写真廃液の処理装置２０は、循環経路の循環方向に沿って順に、ストック槽１１と、ストック槽１１の下流側に設けられたバルブＶ２１と、送液ポンプ１２と、バルブＶ２２と、分解装置１３とを備えている。
【００５６】
本実施形態の処理装置２０は、分解装置１３の下流に液体サイクロン２５を備えている。液体サイクロン２５は、分解装置１３から送流された写真廃液Ｗを内部に注入し、注入された写真廃液Ｗを回転流とすることによって該写真廃液Ｗに含まれる固形分解物を遠心分離して自重によって沈殿物として下方に沈殿させる。液体サイクロン２５は、これら沈殿物をオリフィス２５ａを介して該液体サイクロン２５の下方に設置された回収容器２６によって回収するとともに、分離された写真廃液Ｗを循環経路の下流側へ送流する構成である。
【００５７】
液体サイクロン２５によって分離された写真廃液Ｗは、バルブＶ２３を経由してストック槽１１に送られる。
【００５８】
液体サイクロン２５及び回収容器２６の下方にはバルブＶ２４を介して遠心分離機１４に至るように写真廃液の供給経路が形成されている。本実施形態の遠心分離機１４の構成は、上記第１の実施形態の処理装置１０におけるものと基本的に同じである。
【００５９】
次に、本実施形態の処理装置によって写真廃液から固形分離物を捕集して写真廃液を清澄化処理する工程を説明する。
【００６０】
最初に写真廃液Ｗをストック槽１１に貯留させ、バルブＶ２１，Ｖ２２及びＶ２３を開け、送液ポンプ１２を駆動し、写真廃液Ｗを循環経路に沿って送流する。
【００６１】
写真廃液Ｗは、分解装置１３において化学物質が分解された後、送液ポンプ１２によって液体サイクロン２５に注入されて遠心分離され、該写真廃液Ｗに含まれる固形分解物Ｐが沈殿物として回収容器２６に沈積される。
【００６２】
回収容器２６に所定の固形分解物Ｐが沈積された後、送液ポンプ１２を停止し、ストック槽１１に凝集剤を添加して攪拌手段（攪拌部２３）によって攪拌し、写真廃液Ｗと凝集剤を混合する。このとき、添加する凝集剤の量は、上記第１の実施形態と同様とする。
【００６３】
凝集剤を写真廃液Ｗに混合させた後、送液ポンプ１２を駆動させ、液体サイクロン２５を流通する循環経路を循環させる。写真廃液Ｗが循環経路を約２〜３循環させた後、液体サイクロン２５の下流に位置するバルブＶ２４を開くとともに、バルブＶ２３を閉じて、回収容器２６に沈積した固形分解物Ｐを遠心分離機１４に徐々に送る。そして、遠心分離機１４において、固形分解物Ｐを、高速回転する分離容器１５に収容保持された多孔性フィルター１６によって濾過する。処理装置２０において、濾過によって生じる濾液が濾液管１４ａから排水される。
【００６４】
本実施形態において遠心分離機１４における遠心濾過の条件は、上記第１の実施形態と同じとする。
【００６５】
また、濾液の排水後、遠心濾過機１４の多孔性フィルター１６に捕集された固形分解物Ｐを乾燥装置２１によって乾燥する。このとき、固形分解物Ｐの乾燥条件は、上記第１の実施形態と同じとする。
【００６６】
上記第１の実施形態及び第２の実施形態で説明したように、本発明に係る写真廃液の処理装置１０，２０は、遠心濾過機１４によって写真廃液Ｗ中に含まれる固形分解物Ｐを捕集することができるとともに、遠心分離後に捕集された固形分解物Ｐを乾燥させる乾燥手段（乾燥装置２１）を備えている。遠心分離後において、捕集された固形分解物Ｐには水分が含まれているが、乾燥手段から固形分解物に温風を吹き付けることで固形分解物Ｐに含有される水分を蒸発させて減少させることができる。そこで、捕集された固形分解物Ｐの含水率が極めて小さくなるため、該固形分解物Ｐを多孔性フィルター手段（多孔性フィルター１６）から、回収除去する作業や回収した固形分解物Ｐのハンドリングが容易になる。また、乾燥手段によって乾燥することで、多孔性フィルター手段に固形分解物Ｐが付着して取れにくくなることを防止でき、固形分解物Ｐが回収除去された多孔性フィルター手段を繰り返し使用することができるようになる。さらに、固形分解物Ｐの含水率を小さくすることで、従来の捕集した固形分解物に比較して容積を小さくすることができる。
【００６７】
上記第２の実施形態のように、遠心濾過機１４の上流側に液体サイクロン２５が配置された構成とすれば、液体サイクロン２５は遠心濾過機１４に比べてランニングコストが低いため、写真廃液の処理装置２０は、遠心濾過機１４のみを常に駆動させて遠心分離をする構成に比べてランニングコストを低減させることができる。
【００６８】
また、上記第１の実施形態及び第２の実施形態のように、循環経路にストック槽１１が設けられ、このストック槽１１に凝集剤を添加することで、写真廃液Ｗとともに凝集剤が循環経路を循環可能な構成とすれば、凝集剤が多孔性フィルター手段において既に捕集された固形分解物Ｐとともに捕集され、多孔性フィルター手段に沈積した固体スラリー物が剥離しやすくなるため、多孔性フィルター手段から固形分解物Ｐを回収除去する作業がより一層容易になる。
【００６９】
上記第１の実施形態又は第２の実施形態の処理装置１０（又は２０）を用いた写真廃液の処理方法は、遠心分離後において、捕集された固形分解物に含まれる水分を、乾燥手段から固形分解物Ｐに温風を吹き付けることで蒸発させ、この結果、捕集された固形分解物Ｐの含水率を極めて小さくできる。このため、固形分解物Ｐを多孔性フィルター手段から、回収除去する作業や回収した固形分解物Ｐのハンドリングが容易になる。また、多孔性フィルター手段に固形分解物Ｐが付着して取れにくくなることを防止でき、固形分解物Ｐが回収除去された多孔性フィルター手段を繰り返し使用することができるようになる。さらに、固形分解物の含水率を小さくすることで、従来の捕集した固形分解物に比較して容積を小さくすることができる。
【００７０】
循環経路において遠心濾過機１４の上流側に配置された液体サイクロン２５によって、写真廃液Ｗを遠心分離して固形分解物Ｐを沈殿物として分離し、沈殿物を遠心濾過機１４へ供給すれば、遠心分離に費やされるランニングコストを低減させることができる。
【００７１】
さらに、遠心分離後に写真廃液Ｗ中に凝集剤を添加して循環させ、固形分解物Ｐを凝集させれば、多孔性フィルター手段から固形分解物Ｐを回収除去する作業がより一層容易になる。
【００７２】
さらに、最初に遠心濾過機１４や液体サイクロン２５等の遠心分離手段によって固形分解物Ｐを捕集する工程を行い、その後、写真廃液Ｗに凝集剤を添加させたうえで該写真廃液Ｗを循環させる工程を行うと、固形分解物Ｐとともに凝集剤も捕集されるようになり、この結果、捕集された固形分解物Ｐに凝集剤が混入されることで、該固形分解物Ｐの回収除去が容易になる。
【００７３】
（実施例）
以下、本発明に係る写真廃液の処理方法の実施例を説明する。また、本実施例では、本発明に係る写真廃液の処理方法の効果を証明するため、下記のような比較例１及び比較例２を説明する。本実施例の写真廃液の処理方法では、図１に示す写真廃液の処理装置を用いた。
【００７４】
本実施例において、写真廃液として、富士写真フイルム製プリンタＦ３５０を用いて、市販のカラーペーパー（フジカラーペーパーsuper）にカラーネガからプリント焼き付けを行って、フジカラーカラーペーパー用処理材ＣＰ−４８Ｓを用いて処理したときに得られる、現像、漂白定着、水洗の各浴からのオーバーフロー液として得られる現像廃液、漂白定着廃液、水洗廃液を混合したものを処理廃液（写真廃液）の試料として用いた。
【００７５】
この処理廃液の試料は、ＴＯＣ  １２０１６ｍｇ／リットル、ＥＤＴＡ  １４８４ｍｇ／リットル（鉄換算基準）、アンモニウム塩  ８４８０ｍｇ／リットル（ＮＨ3換算基準）、チオ硫酸イオン  ２５２００ｍｇ／リットル、チオ硫酸銀錯塩量  ２８８０ｍｇ／リットル（銀換算基準）であった。この処理廃液を電解酸化法により化学物質を分解させ固形沈殿物を生成した。
【００７６】
比較例１として、上記処理廃液の試料液５リットルを、循環通液量１．４リットル毎分で電気酸化装置（分解装置）を通して化学物質を分解しながら、公称５μｍポアサイズ、濾過有効面積８００ｃｍ2の多孔性ポリマー円筒状単膜フィルターで生成沈殿物を濾過環流処理を行った。しかし、比較例１では、処理廃液の試料液が完全に分解する前にフィルターが目詰まりを起こし、フィルター濾過圧が０．４ＭＰａとなり、２回フィルター交換を行い、沈殿物の付着したフィルターからの固形物質スラリーの剥離回収作業は困難で、回収で得られたスラリー物は含水率９３％のものが約１４０ｇで回収率約５５％であった。
【００７７】
比較例２として、上記処理廃液の試料液５リットルを、循環通液量１．４リットル毎分で電気酸化装置（分解装置）を通して化学物質を分解しながら、公称５μｍポアサイズ、濾過有効面積１４０ｃｍ2の多孔性単膜フィルターを有する遠心濾過機で遠心加速度１４００Ｇで濾過しながら分解処理を行った。廃液の分解完了後、このとき得られた固形スラリー物質の含水率は、約８４％であった。この水分含有の固形スラリー物質の量は、重量としての比率で原廃液量の２．３％の量に相当する。この状態で該フィルターを取り出して回収できた固形スラリー物質の回収率は、該フィルターへの粘着付着等で約７４％であった。
【００７８】
実施例１としては、上記処理廃液の試料液５リットルを、循環通液量１．４リットル毎分で電気酸化装置（分解装置）を通して化学物質を分解しながら、公称５μｍポアサイズ、濾過有効面積１４０ｃｍ2の多孔性単膜フィルターを有する遠心濾過機で遠心加速度１４００Ｇで濾過しながら分解処理を行った。また、処理廃液の分解終了後、ポリアクリルアミド系高分子凝集剤（株式会社荏原製作所製  スーパーグロースＡ−１２１）０．１ｇを写真廃液のストック槽に添加して攪拌、混合後、処理廃液を循環経路内に１０分循環させた後、三方バルブを切り換えて濾液を排出した。濾液の排出後、遠心分離機の回転数を１００ｒｐｍとし、遠心分離機内に風量７リットル／分、温度９０℃で温風を５分送風し、その後、ヒーター電源を切って送風を１５分行い、再度、温度９０℃で温風を５分送風し、ヒーターを切って２０分送風を行い乾燥した。乾燥した固形分解物は容易にフィルターから破片状に剥離されて、この固形分解物の含水率は１％未満で回収率は、約９９％強であった。その固形物質量は、重量としての比率で原廃液量の０．３％の量であった。
【００７９】
すなわち、写真処理廃液中の化学物質の分解生成沈殿物の回収を、短時間に容易な作業で効率的に且つ高回収率で行うことができ、回収処理運搬量は、原廃液量の１％未満で行うことができた。
【図面の簡単な説明】
【００８０】
【図１】本発明に係る写真廃液の処理装置の第１の実施形態を示す図である。
【図２】本発明に係る写真廃液の処理装置の第２の実施形態を示す図である。
【符号の説明】
【００８１】
１０，２０    写真廃液の処理装置
１１    ストック槽
１４    遠心濾過機
１５    分離容器
１６    多孔性フィルター（多孔性フィルター手段）
２１    乾燥装置
２５    液体サイクロン
Ｐ      固形分解物
Ｗ      写真廃液
【図１】
2005261994.tif 000003
【図２】
2005261994.tif 000004